【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
不揮発性論理ベースの演算を提供する演算デバイス装置であって、
複数の不揮発性論理要素アレイと、
複数の揮発性ストレージ要素と、
処理コアと、
前記演算デバイス装置の切換論理要素に電力を供給するように構成される第１の電力ドメインと、
前記複数の不揮発性論理要素アレイにデータを記憶する、又は前記複数の不揮発性論理要素アレイからデータを読み出すために信号を制御するように構成される論理要素に電力を供給するように構成される第２の電力ドメインと、
前記複数の不揮発性論理要素アレイのための電力を供給するように構成される第３の電力ドメインと、
前記複数の揮発性ストレージ要素によって表される機械状態を記憶し、記憶された機械状態を前記複数の不揮発性論理要素アレイから前記複数の揮発性ストレージ要素に読み出すために、前記複数の不揮発性論理要素アレイを制御するように構成される少なくとも１つの不揮発性論理コントローラと、
を含み、
前記複数の不揮発性論理要素アレイの少なくとも１つの第１のセットが、前記処理コアに関連する前記演算デバイス装置の第１の機能に関連付けられ、前記複数の不揮発性論理要素アレイの少なくとも１つの第２のセットが、前記処理コアに関連する前記演算デバイス装置の第２の機能に関連付けられ、
前記複数の不揮発性論理要素アレイの少なくとも１つの前記第１のセットの動作が、前記複数の不揮発性論理要素アレイの少なくとも１つの前記第２のセットの動作から独立しており、
前記第１の電力ドメインと前記第２の電力ドメインと前記第３の電力ドメインとの個々の電力ドメインが、前記第１の電力ドメインと前記第２の電力ドメインと前記第３の電力ドメインとのうちの他の電力ドメインから独立してパワーダウン又はパワーアップされるように構成され、
前記第３の電力ドメインが、前記演算デバイス装置の通常動作の間にパワーダウンされるように構成される、装置。
【請求項２】
不揮発性論理ベースの演算を提供する演算デバイス装置であって、
複数の不揮発性論理要素アレイと、
複数の揮発性ストレージ要素と、
処理コアと、
前記演算デバイス装置の切換論理要素に電力を供給するように構成される第１の電力ドメインと、
前記複数の不揮発性論理要素アレイにデータを記憶する、又は前記複数の不揮発性論理要素アレイからデータを読み出すために信号を制御するように構成される論理要素に電力を供給するように構成される第２の電力ドメインと、
前記複数の不揮発性論理要素アレイのための電力を供給するように構成される第３の電力ドメインと、
前記複数の揮発性ストレージ要素によって表される機械状態を記憶し、記憶された機械状態を前記複数の不揮発性論理要素アレイから前記複数の揮発性ストレージ要素に読み出すために、前記複数の不揮発性論理要素アレイを制御するように構成される少なくとも１つの不揮発性論理コントローラと、
を含み、
前記複数の不揮発性論理要素アレイの少なくとも１つの第１のセットが、前記処理コアに関連する前記演算デバイス装置の第１の機能に関連付けられ、前記複数の不揮発性論理要素アレイの少なくとも１つの第２のセットが、前記処理コアに関連する前記演算デバイス装置の第２の機能に関連付けられ、
前記複数の不揮発性論理要素アレイの少なくとも１つの前記第１のセットの動作が、前記複数の不揮発性論理要素アレイの少なくとも１つの前記第２のセットの動作から独立しており、
前記第１の電力ドメインと前記第２の電力ドメインと前記第３の電力ドメインとの個々の電力ドメインが、前記第１の電力ドメインと前記第２の電力ドメインと前記第３の電力ドメインとのうちの他の電力ドメインから独立してパワーダウン又はパワーアップされるように構成され、
前記第１の電力ドメインが、前記複数の不揮発性論理要素アレイから前記複数の揮発性ストレージ要素へのデータの書き戻しの間にパワーダウンされるように構成される、装置。
【請求項３】
方法であって、
複数の揮発性ストレージ要素を用いて処理コアを有する処理デバイスを動作させることと、
前記複数の揮発性ストレージ要素に記憶されたデータを複数の不揮発性論理要素アレイに記憶させることであって、前記複数の不揮発性論理要素アレイの少なくとも１つの第１のセットが、前記処理コアに関連する前記処理デバイスの第１の機能に関連付けられ、前記複数の不揮発性論理要素アレイの少なくとも１つの第２のセットが、前記処理コアに関連する前記処理デバイスの第２の機能に関連付けられる、前記記憶させることと、
前記複数の不揮発性論理要素アレイの少なくとも１つの前記第１のセットの動作を、前記複数の不揮発性論理要素アレイの少なくとも１つの前記第２のセットの動作から独立して制御することと、
第１の電力ドメインによって前記複数の揮発性ストレージ要素の個々の揮発性ストレージ要素の一次論理回路部分に電力供給することと、
第２の電力ドメインによって、前記複数の不揮発性論理要素アレイにデータを記憶させる又は前記複数の不揮発性論理要素アレイからデータを読み出すために信号を制御するように構成される論理要素に電力供給することと、
第３の電力ドメインによって前記複数の不揮発性論理要素アレイに電力供給することと、
前記第１の電力ドメインと前記第２の電力ドメインと前記第３の電力ドメインとの個々の電力ドメインを、前記第１の電力ドメインと前記第２の電力ドメインと前記第３の電力ドメインとのうちの他の電力ドメインから独立してパワーアップ又はパワーダウンすることと、
システム電力の分断を示す信号を受信することに応答して、システムバックアップモードに入って前記第３の電力ドメインをパワーアップすることと、
前記システムバックアップモードが完了したと前記少なくとも１つの不揮発性論理コントローラが判定することに応答して、スリープモード入って前記第１の電力ドメインと前記第２の電力ドメインと前記第３の電力ドメインとをパワーダウンすることと、
スリープモードにある間に電力の復元を示す信号を受信することに応答して、システム復元モードに入って前記第２の電力ドメインと前記第３の電力ドメインとをパワーアップして前記第１の電力ドメインをパワーダウンしたまま保つことと、
前記システム復元モードが完了したと前記少なくとも１つの不揮発性論理コントローラが判定することに応答して、通常動作モード入って前記第１の電力ドメインと前記第２の電力ドメインとをパワーアップして前記第３の電力ドメインをパワーダウンすることと、
を含む、方法。
【請求項４】
方法であって、
複数の揮発性ストレージ要素を用いて処理コアを有する処理デバイスを動作させることと、
前記複数の揮発性ストレージ要素に記憶されたデータを複数の不揮発性論理要素アレイに記憶させることであって、前記複数の不揮発性論理要素アレイの少なくとも１つの第１のセットが、前記処理コアに関連する前記処理デバイスの第１の機能に関連付けられ、前記複数の不揮発性論理要素アレイの少なくとも１つの第２のセットが、前記処理コアに関連する前記処理デバイスの第２の機能に関連付けられる、前記記憶させることと、
前記複数の不揮発性論理要素アレイの少なくとも１つの前記第１のセットの動作を、前記複数の不揮発性論理要素アレイの少なくとも１つの前記第２のセットの動作から独立して制御することと、
第１の電力ドメインによって前記複数の揮発性ストレージ要素の個々の揮発性ストレージ要素の一次論理回路部分に電力供給することと、
第２の電力ドメインによって、前記複数の不揮発性論理要素アレイにデータを記憶させる又は前記複数の不揮発性論理要素アレイからデータを読み出すために信号を制御するように構成される論理要素に電力供給することと、
第３の電力ドメインによって前記複数の不揮発性論理要素アレイに電力供給することと、
前記第１の電力ドメインと前記第２の電力ドメインと前記第３の電力ドメインとの個々の電力ドメインを、前記第１の電力ドメインと前記第２の電力ドメインと前記第３の電力ドメインとのうちの他の電力ドメインから独立してパワーアップ又はパワーダウンすることと、
前記第３の電力ドメインの第１の部分によって前記第１の機能に関連付けられる不揮発性論理要素アレイに電力供給することと、
前記第３の電力ドメインの第２の部分によって前記第２の機能に関連付けられる不揮発性論理要素アレイに電力供給することと、
前記第３の電力ドメインの前記第１の部分と前記第２の部分とを前記第１の電力ドメインの他の部分から独立して個々に電源投入又は電源遮断することと、
を含む、方法。
【請求項５】
不揮発性論理ベースの演算を提供する演算デバイス装置であって、
複数の不揮発性論理要素アレイと、
保持フリップフロップを含む複数の揮発性ストレージ要素と、
前記複数の揮発性ストレージ要素によって表される機械状態を記憶し、記憶された機械状態を前記複数の不揮発性論理要素アレイから前記複数の揮発性ストレージ要素に読み出すために、前記複数の不揮発性論理要素アレイを制御するように構成される少なくとも１つの不揮発性論理コントローラと、
前記演算デバイス装置の切替え論理要素に電力供給するように構成され、前記複数の不揮発性論理要素アレイから前記複数の揮発性ストレージ要素にデータを書き戻す間にパワーダウンされるように構成される第１の電力ドメインであって、第１の機能に関連付けられる切換え論理要素に電力供給するように構成される第１の部分と、第２の機能に関連付けられる切換え論理要素に電力供給するように構成される第２の部分とを含む、前記第１の電力ドメインと、
前記保持フリップフロップの個々の保持フリップフロップのスレーブ段に電力を提供するように構成される第２の電力ドメインと、
前記複数の不揮発性論理要素アレイのための電力を供給するように構成され、前記演算デバイス装置の通常動作の間にパワーダウンされるように構成される、第３の電力ドメインと、
リアルタイムクロック及びウェイクアップインタラプト論理に電力を供給するように構成される第４の電力ドメインと、
前記第１の電力ドメインと前記第２の電力ドメインと前記第３の電力ドメインとの個々の電力ドメインをパワーダウンするように制御されるように構成される統合電力ゲート、
を含み、
前記複数の不揮発性論理要素アレイの少なくとも１つの第１のセットが前記演算デバイス装置の前記第１の機能に関連付けられ、前記複数の不揮発性論理要素アレイの少なくとも１つの第２のセットが前記演算デバイス装置の前記第２の機能に関連付けられ、
前記複数の不揮発性論理要素アレイの少なくとも１つの前記第１のセットの動作が、前記複数の不揮発性論理要素アレイの少なくとも１つの前記第２のセットの動作から独立しており、
前記第１の電力ドメインの前記第１の部分と前記第２の部分とが、前記第１の電力ドメインの他の部分から独立して個々にパワーアップ又はパワーダウンされるように個々に構成され、
前記第１の電力ドメインと前記第２の電力ドメインと前記第３の電力ドメインとの個々の電力ドメインが、前記第１の電力ドメインと前記第２の電力ドメインと前記第３の電力ドメインとのうちの他の電力ドメインから独立してパワーダウン又はパワーアップされるように構成され、
前記第３の電力ドメインが、前記第１の機能に関連付けられる不揮発性論理要素アレイに電力を供給するように構成される第１の部分と、前記第２の機能に関連付けられる不揮発性論理要素アレイに電力を供給するように構成される第２の部分とに分割され、
前記第３の電力ドメインの前記第１の部分と前記第２の部分とが、前記第３の電力ドメインの他の部分から独立してパワーアップ又はパワーダウンされるように個々に構成される、装置。
【請求項６】
不揮発性論理ベースの演算を提供する演算デバイス装置であって、
複数の不揮発性論理要素アレイと、
複数の揮発性ストレージ要素と、
前記複数の揮発性ストレージ要素によって表される機械状態を記憶し、記憶された機械状態を前記複数の不揮発性論理要素アレイから前記複数の揮発性ストレージ要素に読み出すために、前記複数の不揮発性論理要素アレイを制御するように構成される少なくとも１つの不揮発性論理コントローラと、
前記演算デバイス装置の切換論理要素に電力を供給するように構成される第１の電力ドメインと、
前記複数の不揮発性論理要素アレイにデータを記憶する、又は前記複数の不揮発性論理要素アレイからデータを読み出すために信号を制御するように構成される論理要素に電力を供給するように構成される第２の電力ドメインと、
前記複数の不揮発性論理要素アレイに電力を供給するように構成される第３の電力ドメインと、
を含み、
前記複数の不揮発性論理要素アレイの少なくとも１つの第１のセットが前記演算デバイス装置の第１の機能に関連付けられ、前記複数の不揮発性論理要素アレイの少なくとも１つの第２のセットが前記演算デバイス装置の第２の機能に関連付けられ、
前記複数の不揮発性論理要素アレイの少なくとも１つの前記第１のセットの動作が、前記複数の不揮発性論理要素アレイの少なくとも１つの前記第２のセットの動作から独立しており、
前記第１の電力ドメインと前記第２の電力ドメインと前記第３の電力ドメインとの個々の電力ドメインが、前記第１の電力ドメインと前記第２の電力ドメインと前記第３の電力ドメインとのうちの他の電力ドメインから独立してパワーダウン又はパワーアップされるように構成され、
前記第３の電力ドメインが、前記演算デバイス装置の通常動作の間にパワーダウンされるように構成される、装置。
【請求項７】
不揮発性論理ベースの演算を提供する演算デバイス装置であって、
複数の不揮発性論理要素アレイと、
複数の揮発性ストレージ要素と、
前記複数の揮発性ストレージ要素によって表される機械状態を記憶し、記憶された機械状態を前記複数の不揮発性論理要素アレイから前記複数の揮発性ストレージ要素に読み出すために、前記複数の不揮発性論理要素アレイを制御するように構成される少なくとも１つの不揮発性論理コントローラと、
前記演算デバイス装置の切換論理要素に電力を供給するように構成される第１の電力ドメインと、
前記複数の不揮発性論理要素アレイにデータを記憶する、又は前記複数の不揮発性論理要素アレイからデータを読み出すために信号を制御するように構成される論理要素に電力を供給するように構成される第２の電力ドメインと、
前記複数の不揮発性論理要素アレイに電力を供給するように構成される第３の電力ドメインと、
を含み、
前記複数の不揮発性論理要素アレイの少なくとも１つの第１のセットが前記演算デバイス装置の第１の機能に関連付けられ、前記複数の不揮発性論理要素アレイの少なくとも１つの第２のセットが前記演算デバイス装置の第２の機能に関連付けられ、
前記複数の不揮発性論理要素アレイの少なくとも１つの前記第１のセットの動作が、前記複数の不揮発性論理要素アレイの少なくとも１つの前記第２のセットの動作から独立しており、
前記第１の電力ドメインと前記第２の電力ドメインと前記第３の電力ドメインとの個々の電力ドメインが、前記第１の電力ドメインと前記第２の電力ドメインと前記第３の電力ドメインとのうちの他の電力ドメインから独立してパワーダウン又はパワーアップされるように構成され、
前記第１の電力ドメインが、前記複数の不揮発性論理要素アレイから前記複数の揮発性ストレージ要素にデータを書き戻す間にパワーダウンされるように構成される、装置。
【請求項８】
方法であって、
複数の揮発性ストレージ要素を用いて処理デバイスを動作させることと、
前記複数の揮発性ストレージ要素に記憶されたデータを複数の不揮発性論理要素アレイに記憶させることであって、前記複数の不揮発性論理要素アレイの少なくとも１つの第１のセットが前記処理デバイスの第１の機能に関連付けられ、前記複数の不揮発性論理要素アレイの少なくとも１つの第２のセットが前記処理デバイスの第２の機能に関連付けられる、前記記憶させることと、
前記複数の不揮発性論理要素アレイの少なくとも１つの前記第１のセットの動作を、前記複数の不揮発性論理要素アレイの少なくとも１つの前記第２のセットの動作から独立して制御することと、
第１の電力ドメインによって前記複数の揮発性ストレージ要素の個々の揮発性ストレージ要素の一次論理回路部分に電力供給することと、
第２の電力ドメインによって、前記複数の不揮発性論理要素アレイにデータを記憶させる又は前記複数の不揮発性論理要素アレイからデータを読み出すために信号を制御するように構成される論理要素に電力供給することと、
第３の電力ドメインによって前記複数の不揮発性論理要素アレイに電力供給することと、
前記第１の電力ドメインと前記第２の電力ドメインと前記第３の電力ドメインとの個々の電力ドメインを、前記第１の電力ドメインと前記第２の電力ドメインと前記第３の電力ドメインとのうちの他の電力ドメインから独立してパワーアップ又はパワーダウンすることと、
システム電力の分断を示す信号を受信することに応答して、システムバックアップモードに入って前記第３の電力ドメインをパワーアップすることと、
前記システムバックアップモードが完了したと前記少なくとも１つの不揮発性論理コントローラが判定することに応答して、スリープモード入って前記第１の電力ドメインと前記第２の電力ドメインと前記第３の電力ドメインとをパワーダウンすることと、
スリープモードにある間に電力の復元を示す信号を受信することに応答して、システム復元モードに入って前記第２の電力ドメインと前記第３の電力ドメインとをパワーアップして前記第１の電力ドメインをパワーダウンしたまま保つことと、
前記システム復元モードが完了したと前記少なくとも１つの不揮発性論理コントローラが判定することに応答して、通常動作モード入って前記第１の電力ドメインと前記第２の電力ドメインとをパワーアップして前記第３の電力ドメインをパワーダウンすることと、
を含む、方法。
【請求項９】
方法であって、
複数の揮発性ストレージ要素を用いて処理デバイスを動作させることと、
前記複数の揮発性ストレージ要素に記憶されたデータを複数の不揮発性論理要素アレイに記憶させることであって、前記複数の不揮発性論理要素アレイの少なくとも１つの第１のセットが前記処理デバイスの第１の機能に関連付けられ、前記複数の不揮発性論理要素アレイの少なくとも１つの第２のセットが前記処理デバイスの第２の機能に関連付けられる、前記記憶させることと、
前記複数の不揮発性論理要素アレイの少なくとも１つの前記第１のセットの動作を、前記複数の不揮発性論理要素アレイの少なくとも１つの前記第２のセットの動作から独立して制御することと、
第１の電力ドメインによって前記複数の揮発性ストレージ要素の個々の揮発性ストレージ要素の一次論理回路部分に電力供給することと、
第２の電力ドメインによって、前記複数の不揮発性論理要素アレイにデータを記憶させる又は前記複数の不揮発性論理要素アレイからデータを読み出すために信号を制御するように構成される論理要素に電力供給することと、
第３の電力ドメインによって前記複数の不揮発性論理要素アレイに電力供給することと、
前記第１の電力ドメインと前記第２の電力ドメインと前記第３の電力ドメインとの個々の電力ドメインを、前記第１の電力ドメインと前記第２の電力ドメインと前記第３の電力ドメインとのうちの他の電力ドメインから独立してパワーアップ又はパワーダウンすることと、
前記第３の電力ドメインの第１の部分により前記第１の機能に関連する不揮発性論理要素アレイに電力供給することと、
前記第３の電力ドメインの第２の部分により前記第２の機能に関連する不揮発性論理要素アレイに電力供給することと、
前記第１の電力ドメインの他の部分から独立して前記第３の電力ドメインの前記第１の部分と第２の部分とを個々にパワーアップ又はパワーダウンすることと、
を含む、方法。